(57)【要約】      （修正有）【課題】装置全体を短寸で軽量なスタンド型のフェンスユニットの複数とそれらの間を長手方向につなぐ連結材とから構成することにより荷降ろしと荷揚げを含む運搬作業全体が非常に軽減化されるようにした仮設用長フェンス装置を提供する。【解決手段】仮設される長フェンスの長手方向となる前後あるいはそれに直交する方向である左右のいずれかに拡大と縮小が可能に連結され拡大時における前後の幅が左右の幅と略同等の長さとされるように構成された一対の拡縮部材１０を備えるとともに拡縮部材の拡大幅Ｄを一定に規定する幅規定部材１５を有しかつ拡縮部材の下端には転動手段を備えてなるフェンスユニットＦＵと、これらフェンスユニットの長寸をもって離間する前後間を連結するつなぎガード２０とでなる。【選択図】図４
0003227084.tif 000002
【実用新案登録請求の範囲】
【請求項１】
仮設される長フェンスの長手方向となる前後あるいはそれに直交する方向である左右のいずれかに拡大と縮小が可能に連結され拡大時における前記前後の幅が前記左右の幅と略同等の長さとされるように構成された一対の拡縮部材を備えるとともに拡縮部材の拡大幅を一定に規定する幅規定部材を有しかつ拡縮部材の下端には転動手段を備えてなるフェンスユニットと、これらフェンスユニットの長寸をもって離間する前後間を連結するつなぎガードとでなる仮設用長フェンス装置。
【請求項２】
請求項１に記載のものにおいて、拡縮部材は、少なくとも門型を枠状部分として有する主枠を備え、その一対が長フェンスの長手方向に直交する左右あるいは前後に平行に対向する構造となっている仮設用長フェンス装置。
【請求項３】
請求項１に記載のものにおいて、拡縮部材は、少なくとも門型を枠状部分として有する主枠を備え、その一対がＸ字状あるいは山型状に交差して結合する構造になっている仮設用長フェンス装置。
【請求項４】
請求項１から３のいずれかに記載のものにおいて、つなぎガードは、前後のフェンスユニットの上端間に脱着可能に装架される手摺を含んでいる仮設用長フェンス装置。
【考案の詳細な説明】
【技術分野】
【０００１】  この考案は、仮設用長フェンス装置に関する。
【背景技術】
【０００２】  左右に二重構造をなし左右に４００ｍｍ程度離間した拡大（拡幅）状態と互いに平行のまま近接した縮小（縮幅）状態とに拡縮可能な形式とされた仮設式長フェンス装置がある。
【先行技術文献】
【特許文献】
【０００３】
【特許文献１】
【考案の概要】
【考案が解決しようとする課題】
【０００４】  その一例として図１ないし図３に示すフェンスユニットＦ…を拡幅して長手方向につなげるようにしたダブルスチールフェンス（商品名）なるものが挙げられる。このダブルスチールフェンスは、例えば、マラソンコースの側脇に設置されてコースと沿道とを安全に離間ガードするために使用されたり、あるいは各種イベントや文化祭、お祭、展示会、セミナー開催などにおいてその参加者等を整列誘導するために使用されたりする。
このフェンスユニットＦは、長手方向に対しその左右に対応する一対の拡縮部材１，１とそれらの部材１，１間をつないで両拡縮部材１，１を左右に拡縮のために案内するとともに拡大幅を一定に規定する上下複数対の連結リンクである幅規定部材２とを有し、前記拡縮部材１は、パイプを門型に曲げて高さＨを１１００ｍｍにした主枠３と横向き梯子状のガード枠４とを一体に有して形成される他、主枠３の両脚にはキャスター５が取り付けられてイベント現場との間の運搬や拡縮の作業などが軽快に行われるようになっている。上部の幅規定部材２には差込パイプ６が設けられてこれら差込パイプ６が前後に近接配置される際にそれらを逆Ｕ字形をしたつなぎ金具７で連結することにより図のような連繋したフェンスが構成されるようになっている。
ところで、従来のフェンスユニットＦは、拡大幅Ｄが４００ｍｍである一方長手方向の寸法幅Ｗが長い２０００ｍｍとされて前後が互いに近接する形で連結されるものとして構成されていたので、フェンスユニットＦが２８．５ｋｇと可成り重量物となってしまい、その結果、運搬車両とイベント会場間の運搬、特にイベント会場へ搬送するため運搬車両からフェンスユニットＦ…を荷降ろししたりイベント会場から引揚げて運搬車両上に荷揚げしたりする作業にあっては大変な重労働になっていた。【０００５】  この考案は、上記問題を解決しようとするものであり、装置全体を短寸で軽量なスタンド型のフェンスユニットの複数とそれらの間を長手方向につなぐ連結材とから構成することにより荷降ろしと荷揚げを含む運搬作業全体が非常に軽減化されるようにした仮設用長フェンス装置を提供することを目的とする。
【課題を解決するための手段】
【０００６】  この考案は上記目的を達成するため、請求項１に記載の考案は、仮設される長フェンスの長手方向となる前後あるいはそれに直交する方向である左右のいずれかに拡大と縮小が可能に連結され拡大時における前記前後の幅が前記左右の幅と略同等の長さとされるように構成された一対の拡縮部材を備えるとともに拡縮部材の拡大幅を一定に規定する幅規定部材を有しかつ拡縮部材の下端には転動手段を備えてなるフェンスユニットと、これらフェンスユニットの長寸をもって離間する前後間を連結するつなぎガードとでなる。
前記前後の幅を前記左右の幅と略同等に設定する意味は、前記前後の幅が前記左右の幅より狭く、例えば、１／２であると前記長手方向へ倒れやすくなることを防止することにあり、逆に前記前後の幅が前記左右の幅より長く、例えば、２倍あるいは３倍であるとフェンスユニットを軽量化するという効果が得られないことになる。前記略同等とは１倍から１．５倍までを含む。前記フェンスユニットが長寸をもって離間する前後間とあるが、その長寸とは、実施形態では２０００ｍｍ程度以外に３ｍ〜５ｍあるいはそれ以外に長く設定することもあり、またある間は２０００ｍｍであるがその他のある間は４０００ｍｍとするような場合もある。
請求項２に記載の考案は、請求項１に記載のものにおいて、拡縮部材は、少なくとも門型を枠状部分として有する主枠を備え、その一対が長フェンスの長手方向に直交する左右あるいは前後に平行に対向する構造となっている。
請求項３に記載の考案は、請求項１に記載のものにおいて、拡縮部材は、少なくとも門型を枠状部分として有する主枠を備え、その一対がＸ字状あるいは山型状に交差して結合する構造になっている。
請求項４に記載の考案は、請求項１から３のいずれかに記載のものにおいて、つなぎガードは、前後のフェンスユニットの上端間に脱着可能に装架される手摺を含んでいる。
【考案の効果】
【０００７】  上述したように請求項１に記載の考案は、仮設される長フェンスの長手方向となる前後あるいはそれに直交する方向である左右のいずれかに拡大と縮小が可能に連結され拡大時における前記前後の幅が前記左右の幅と略同等の長さとされるように構成された一対の拡縮部材を備えるとともに拡縮部材の拡大幅を一定に規定する幅規定部材を有しかつ拡縮部材の下端には転動手段を備えてなるフェンスユニットと、これらフェンスユニットの長寸をもって離間する前後間を連結するつなぎガードとでなるので、装置全体を短寸で軽量なスタンド型のフェンスユニットの複数とそれらの間を長手方向につなぐ連結材とから構成することにより荷降ろしと荷揚げを含む運搬作業全体が非常に軽減化されるようにした仮設用長フェンス装置を提供することができる。
【図面の簡単な説明】
【０００８】
【図１】  仮設用長フェンス装置の従来例を示す平面図。
【図２】  図１の正面図。
【図３】  図２のＩＩＩ−ＩＩＩ線断面図。
【図４】  この考案の第１実施形態を示す平面図。
【図５】  図４のＶ方向からの矢視図。
【図６】  図５のＶＩ−ＶＩ線断面図。
【図７】  この考案のつなぎガードの各種例（ａ）〜（ｆ）を示す説明図。
【図８】  この考案の第２実施形態を示す平面図。
【図９】  図８の正面図。
【図１０】  この考案の第３実施形態を示す平面図。
【図１１】  図１０の正面図。
【図１２】  図１１のＸＩＩ−ＸＩＩ線断面図。
【図１３】  この考案の第４実施形態を示す平面図。
【図１４】  図１３の正面図。
【図１５】  図１４のＸＶ−ＸＶ線断面図。
【図１６】  この考案の第５実施形態を示す図１７のＸＶＩ−ＸＶＩ線断面図。
【図１７】  図１６のＸＶＩＩ−ＸＶＩＩ線断面図。
【図１８】  つなぎガードの第１段階のつなぎ方を示す斜視図。
【図１９】  つなぎガードの第２段階のつなぎ方を示す斜視図。
【図２０】  つなぎガードの第３段階のつなぎ方を示す斜視図。
【図２１】  つなぎガードの第４段階のつなぎ方を示す斜視図。
【図２２】  この考案の第６実施形態を示す斜視図。
【図２３】  この考案の第７実施形態を示す斜視図。
【図２４】  この考案の第８実施形態を示す斜視図。
【図２５】  この考案の第９実施形態を示す斜視図。
【考案を実施するための形態】
【０００９】  以下、この考案である仮設用長フェンス装置の第１実施形態を図１ないし図３に基づいて説明する。
これらの図に示すように、仮設用長フェンス装置は、図４のように１列の長いものである場合と図４の上側に間隔を置いて他の１列を配備したりさらに他の１列を追加したりする場合がある。
【００１０】  仮設用長フェンス装置を１列配備する場合を示すと、ＦＵはフェンスユニットで、イベント会場前には会場入り口に向けて一定の間隔を置いて複数基離間配備されている。各フェンスユニットＦＵは、高さＨ１１００ｍｍの拡縮部材１０の一対が拡大した際にＤ（４００ｍｍ）程離れるように縮小したときに平行に近接する（折り畳まれる）ように設けられている。
拡縮部材１０は、長フェンスの長手方向となる前後方向Ｘに幅ｗ（４００ｍｍ）となるように（従来の２０００ｍｍに比べて１／５と短くなっている）スチール丸パイプを門型にした主枠１１を有する。この主枠１１はアルミ合金や樹脂、木質などでもよい。この主枠１１の前後面には、上下３段階（あるいは２段階）にかけて受け環１２…が設けられている。主枠１１の上肩部分は一体曲げ加工されているが、図５の上欄に示すように縦パイプと水平横パイプとを溶接一体化したものにしてもよい。また、主枠１１は、図５の下欄に示すように下端水平材を含めて縦長矩形枠状にしてもよい（以下の実施形態においても同様）。
【００１１】  １３は横桟で、上下一対の水平ロッドでなり、その間にはＨ形内張材１４が設けられているが、内張材１４は簡素化のため省くことがある。また、横桟１３はロープ（紐）や樹脂などで形成して軽量化を図るようにしてもよい。
１５は幅規定部材で、両拡縮部材１０，１０の前後間を左右方向Ｙに向く開閉リンクとして上下２段階に配備されている。
１６は旋回自在型キャスターで、拡縮部材１０，１０の各脚部に設けられて適宜ロックレバー１７で回転ロック可能とされている。このキャスター１６は、図５の下欄のように左右方向Ｙにのみ拡縮部材１０を移動可能とするものにしてもよい。ロック構造については、図５の下欄のようなゴム付き昇降式ロック軸１８によるものにしてもよい。
【００１２】  フェンスユニットＦＵは幅規定部材１５，１５とともに両拡縮部材１０，１０を対向する方向に折り畳み縮小状態にして運搬車両に重ね積み、その縮小したまま運搬車両から降ろして現場に運ぶようにする。フェンスユニットＦＵはそれぞれ短寸でコンパクトであり転動手段１６も使って現場まで軽快に運ぶことができる。運んだあとのフェンスユニットＦＵ…は、幅規定部材１５，１５が伸び切るまで拡縮部材１０，１０を拡げることで軽快な作業で安定した立設状態を得ることができる。
【００１３】  これらのフェンスユニットＦＵ…は、拡縮部材１０，１０が左右にくるようにして拡げられ立設されたあと転動手段１６がロックされる。そして、これらのフェンスユニットＦＵ…は、長手方向（前後方向）ＸにＬ（２０００ｍｍ弱）離間させて複数（例えば、１０基）配列される。そして、それらの間には、つなぎガード２０…が掛張される。つなぎガード２０は本体がロープ（紐）で造られその両端にはフック２１，２１が設けられてフェンスユニットＦＵの対向する受け環１２…に係合されるようにして掛張されている。
【００１４】  この例では、左右の列に上下３段階（あるいは２段階）ずつ掛張されてフェンスユニットＦＵの前後間を通じて容易に通過できないようになっている。フェンスユニットＦＵは軽量でありしかもつなぎガード２０…もロープ類などで非常に軽量であるので、現場への運搬や現場から車両への運搬も極めて迅速かつ容易になされる。最後には、フェンスユニットＦＵ…とつなぎガード２０…の全体を長手方向Ｘに引っ張ることで１列に整列し伸び切った長フェンス装置を得ることができる。他の列の長フェンス装置も同様にして行う。
つなぎガード２０は、図４のように左右に一対配されているが、その一方のみに配してもよい。前記フェンスユニットＦＵ側が受け環１２でつなぎガード２０側がフック２１になっているが、フェンスユニットＦＵ側がフックでつなぎガード２０側が受け環であってもよい。また、双方がフック型でもよい。
【００１５】  つなぎガード２０は、図７（ａ）に示すように、樹脂あるいはアルミ合金やゴム質などのリンクチェーンで形成したり、（ｂ）に示すように、伸縮波線材で形成してもよい。また、（ｃ）に示すように、折畳ロッドで形成したり、（ｄ）のように伸縮ロッドで形成してもよく、さらに、（ｅ）に示すように、係合スライダ２３に対しロック片付き伸縮式ベルトパーテーション２４を掛脱可能に構成してもよい。また、（ｆ）に示すように、フェンスユニットＦＵ側に設けたロックボール入り受け具２５に掛脱可能な係合片２６を備えたつなぎガード２０としたものにしてもよい。つなぎガード２０の本体は、ロープ、ロッド、パイプあるいはリンクチェーンなどとすることができる。
【００１６】  図８および図９は第２実施形態を示す。幅規定部材１５の各中央に受け環１２を配備するとともに、これら受け環１２，１２間を介してつなぎガード２０を張設したものである。受け環１２は幅規定部材１５の中央に設けてあるが、その他の個所を介して設けてもよい。
【００１７】  図１０ないし図１２は第３実施形態を示す。これらの図に示す仮設用長フェンス装置は、図１０のように１列の長いものである場合と図１０の上側に間隔を置いて他の１列を配備したりさらに他の１列を追加したりする場合がある。
【００１８】  仮設長フェンス装置を１列配備する場合で説明すると、ＦＵはフェンスユニットで、イベント会場前には会場入り口に向けて一定の間隔を置いて複数基離間配備されている。各フェンスユニットＦＵは、高さＨ１１００ｍｍの拡縮部材１０の前後一対が長手（前後）方向Ｘに拡大した際にｗ（４００ｍｍ）程離れるようにまた縮小したときに平行に近接する（折り畳まれる）ように設けられている。
【００１９】  拡縮部材１０は、左右方向Ｙに幅Ｄ（４００ｍｍ）となるようにスチール丸パイプを門型にした主枠１１を有する。この主枠１１はアルミ合金や樹脂、木質などでもよい。この主枠１１の面内には、横桟１３…が上下３段階（あるいは２段階）にかけて設けられている。これら横桟１３の長さ間中央にはフック３０が設けられ、その各フック３０につなぎガード２０の掛け環３１が係止されるようになっている。
【００２０】  １５は幅規定部材で、両拡縮部材１０，１０の間を前後方向Ｘに向く開閉リンクとして上下２段階に配備されている。
１６は旋回自在型キャスターで、拡縮部材１０，１０の各脚部に設けられて適宜ロックレバー１７で回転ロック可能とされている。
【００２１】  フェンスユニットＦＵは長手方向（前後方向）ＸにＬ（２０００ｍｍ弱）離間させて複数（例えば、１０基）配列される。そして、それらの間には、つなぎガード２０…が掛張される。つなぎガード２０は本体がロープ（紐）で造られその両端には掛け環３１が設けられてフェンスユニットＦＵの対向するフック３０…に係合されるようにして掛張される。この例では、左右の列に上下３段階（あるいは２段階）ずつ掛張されてフェンスユニットＦＵの前後間を通じて容易に通過できないようになっている。
【００２２】  つなぎガード２０は、図１０のようにフェンスユニットＦＵの左右間を１本通し状に設けられているが、図４に示すように左右に一対あるいはそのうちの一方にのみ通るように配してもよい。
尚、図１２に示すように、フック３０が横桟１３から外側向きに突き出す形になっていたが、そうすると運搬中に破損を生じる原因となるが、図１２の右欄に示すようにフック３０を横桟１３の下側に納まるようにしておくと破損を招くようなことはなくなる。
【００２３】  図１３ないし図１５は第４実施形態を示す。この長フェンス装置は、基本的には図１０ないし図１２に示す第３実施形態の長フェンス装置と同様のものであるが、次の点で異なっている。
即ち、前後方向Ｘに２ｍ離れて対向して設けられている拡縮部材１０，１０の間には、図１１のように上下３本つなぎガード２０…が設けられていたが、図１４の実施形態では、下側２本は別として上段のつなぎガード２０については手摺６０として構成した。この手摺６０は、左右一対設けられ、主枠１１と同じ仕様のパイプ（２５ＡＳＧＰ）を用いて両端に差込脚６１を備えたものとして形成され、それを前後の底蓋付き差込受筒６２に差し込むようにして設けられる。差込受筒６２は、差込脚６１を受け入れるサイズ、例えば、４０ＡＳＧＰのパイプが用いられて主枠１１の上端に溶接固定されている。
【００２４】  手摺６０は、スチールパイプ製であったが、１０〜１５ｍｍ程度の樹脂ロッドあるいはパイプ（繊維強化樹脂を含む）で形成してもよい（図１４の上欄に示す）。また、図１４の右上欄に示すように、差込受筒６２はＬ字ロッド状にしてそれに差込脚６１のパイプ部分が差し込まれるようにしてもよい。
さらに、前記実施形態でのフェンスユニットＦＵは拡縮部材１０，１０が前後方向Ｘに対向する形式であったが、図１３の上欄のように、拡縮部材１０，１０が左右に対向する形式についても実施する。この実施形態では、拡縮部材１０が手摺６０と一連状になり安全に誘導可能な長フェンスを提供することができる。
また、手摺６０は、左右に一対設けられていたが、そのうち一方にのみ設けられる形式にしたり図１３に仮想線で示すように左右間中央に１本の手摺６０を通す形式にしてもよい。
【００２５】  図１６および図１７は第５実施形態を示す。この実施形態は、架装したあとの手摺６０が装置設置者以外の者によって勝手に外されないようにしたものである。６５はボルトなどを植設してなる支点軸で、手摺６０の脚６１の内側面で差込受筒６２の少し上に対応する個所に設けられている。主枠１１の内側面には、支点軸６５と同じ高さに対応するようにロック軸６６が突設されている。このロック軸６６は、ボルト軸の丸い外周の上下面を平行に削って回転規制面ａ、ａとした小判型断面とされている。６８はスライド型のロック片で、スチールや樹脂などで横長プレートとしたものに両端を閉じた形の長孔６９と片側が開放にした形の係脱溝７０を形成してなるものである。
【００２６】  ロック片６８は、支点軸６５回りに長孔６９が回転摺動可能なようになるようにまたロック軸６６回りに係脱溝７０が係合して矢印方向への操作で抜き差しされるように設けられている。手摺６０が差込受筒６２に差し込まれる前には、ロック片６８は支点軸６５を中心に垂れ下がった状態になっているが、差込脚６１が差込受筒６２に差し込まれる際には水平向きとされ係脱溝７０をロック軸６６に図１７の左向きに差し入れるようにすることで回転規制面ａによる回転規制がなされて手摺６０は勝手に抜脱されないロック状態とされる。一方、ロック片６８を図１７の右方向に抜脱操作すれば手摺６０は自由に取り外すことができるようになる。ロック軸６６は、図１７の左欄に示すように、四角軸あるいは六角軸状のものでもよい。
【００２７】  図１８ないし図２１は前後のフェンスユニットＦＵ，ＦＵの各横桟３４，３４に設けたフック３５，３５間に掛け環３６，３６を介してつなぎガード３７を掛張する場合に掛張後に掛け環３６，３６がフック３５，３５から外れにくくなるように工夫した例を掛け方の順に図示したものである。
【００２８】  前後の横桟３４，３４の幅間中央底部に設けたフック３５は、基本的にＬ字形をしており、その先端部は上向きに半円状に突出する抜止突部３５ａが形成されている。
一端の掛け環３６を先に前側の横桟３４に設けたフック３５に差し入れるのでなく、図１８に示すように、掛け環３６の手前部分３７ａであるつなぎガード３７を横桟３４周りに回し込みながらその先端である掛け環３６を抜止突部３５ａ周りを通じてフロック３５の根元周りまで差し入れるようにする。
【００２９】  そのあと、図１９に示すように、つなぎガード３７の手前部分３７ａを回して抜止突部３５ａの溝側に通してのち、つなぎガード３７を後側の横桟３４方向に伸ばしてその下周りから手前部分３７ａを抜止突部３５ａに掛け回しながら図２０のように掛け環３６を横桟３４の周りに前上周りにして１回りさせて掛け環３６を抜止突部３５ａ周りを通じてフック３５に掛け入れるようにする。フック３５を抜止突部３５ａ周りに通すとき手前部分３７ａが邪魔になるが、同手前部分３７ａを下側へ少し下げて避けるようにすることで通しやすくことができる。
【００３０】  図２１に示すように、各掛け環３６は、フック３５の根元まで掛け入れられるが、その手前の抜止突部３５ａにはつなぎガード３７の手前部分３７ａがあって抜け止めをするようになっているので、例えば、イベント会場において誰かが横から掛け環３６を持ってフック３５に添って抜き外そうとしてもその手前につなぎガード３７がそれを邪魔しようとするため容易には外されずつなぎガード３７の張設状態を安全維持することができることになる。
【００３１】  図２２は第６実施形態である。このフェンスユニットＦＵは、長フェンスの長手方向Ｘに直交する方向の幅Ｄが４００ｍｍ程度で門型をなすスチールパイプ製拡縮部材４０，４０の一対を有する。これら拡縮部材４０，４０は、前記長手方向への拡大時に側面からみてＸ字形をなすようにする支持軸４１で拡縮自在に支持されているとともに、幅規定部材４２で上端の長手方向（前後方向）の拡大幅ｗが４００ｍｍ程度になるように規定される。前記ｗはＤと同等である。４３はキャスターである転動手段である。拡縮部材４０の主枠は門型部分を少なくとも有するものであるが、図５の下欄に示すような矩形枠形でもよい。
【００３２】  ４５は長さＬが２０００ｍｍのつなぎガードで、ロープや図７に示すリンクチェーンなどでなり、その前後端に設けたフック４６，４６で拡縮部材４０，４０の上端部分や支持軸４１間に掛張されるようになっている。脚間部材４７を設けてそれらの間につなぎガード４５を掛張するようにしてもよい。
【００３３】  図２３は第７実施形態である。このフェンスユニットＦＵは、長フェンスの長手方向Ｘの幅ｗを４００ｍｍ程度とする門型をなすスチールパイプ製拡縮部材４０，４０の一対を有する。これら拡縮部材４０，４０は、前後の方向からみて拡大時にＸ字形をなすようにする支持軸４１で拡縮自在に支持されているとともに、幅規定部材４２で上端の左右方向の拡大幅Ｄが４００ｍｍ程度になるように規定される。前記ｗはＤと同等の寸法とされる。４３はキャスターである転動手段である。拡縮部材４０の主枠は門型部分を少なくとも有するものであるが、図５の下欄に示すような矩形枠形でもよい。拡縮部材４０，４０に図１４のような差込受筒６２を設けて手摺６０を係脱自在に構成することもできる。
【００３４】  ４５は長さＬが２０００ｍｍのつなぎガードで、ロープや図７に示すリンクチェーンなどでなり、その前後端に設けたフック４６，４６が拡縮部材４０，４０の一方に配備した受け環４９…に引っ掛けられるようになっている。
尚、Ｘ字状に交差する他の実施形態を図２３の下の欄に示す。この実施形態は、拡縮部材４０，４０を上からみてＸ字状に開くようにしたものである。
【００３５】  図２４は第８実施形態を示す。このフェンスユニットＦＵは、長フェンスの長手方向Ｘに直交する方向の幅Ｄが４００ｍｍ程度で門型をなすスチールパイプ製拡縮部材５０，５０の一対を有する。これら拡縮部材５０，５０は、前記長手方向への拡大時に側面からみて山型をなすようにする支持軸５１で拡縮自在に支持されているとともに、幅規定部材５２で下端の長手方向（前後方向）の拡大幅ｗが４００ｍｍ程度になるように規定される。前記ｗはＤと同等である。５３はキャスターである転動手段である。拡縮部材５０の主枠は門型部分を少なくとも有するものであるが、図５の下欄に示すような矩形枠形でもよい。
【００３６】  ５５は長さＬが２０００ｍｍのつなぎガードで、ロープや図７に示すリンクチェーンなどでなり、その前後端に設けたフック５６，５６を拡縮部材５０，５０側の掛け環５７に掛け止めて掛張されるようになっている。
【００３７】  図２５は第９実施形態である。このフェンスユニットＦＵは、長フェンスの長手方向Ｘの幅ｗを４００ｍｍ程度とする門型をなすスチールパイプ製拡縮部材５０，５０の一対を有する。これら拡縮部材５０，５０は、前後の方向からみて拡大時に山型をなすようにする支持軸５１で拡縮自在に支持されているとともに、幅規定部材５２で上端の左右方向の拡大幅Ｄが４００ｍｍ程度になるように規定される。前記ｗはＤと同等の寸法とされる。５３はキャスターである転動手段である。拡縮部材５０の主枠は門型部分を少なくとも有するものであるが、図５の下欄に示すような矩形枠形でもよい。
【００３８】  ５５は長さＬが２０００ｍｍのつなぎガードで、ロープや図７に示すリンクチェーンなどでなり、その前後端に設けたフック５６，５６が拡縮部材５０，５０側の受け環５７…に引っ掛けられるようになっている。拡縮部材５０，５０に図１４のような差込受筒６２を設けて手摺６０を係脱自在に構成することもできる。
【符号の説明】
【００３９】  １０，４０，５０…拡縮部材  １１…主枠  １５，４２，５２…幅規定部材  １６，４３，５３…転動手段  ２０，４５，５５…つなぎガード  ６０…手摺  ６２…差込受筒。
【図１】
0003227084.tif 000003
【図２】
0003227084.tif 000004
【図３】
0003227084.tif 000005
【図４】
0003227084.tif 000006
【図５】
0003227084.tif 000007
【図６】
0003227084.tif 000008
【図７】
0003227084.tif 000009
【図８】
0003227084.tif 000010
【図９】
0003227084.tif 000011
【図１０】
0003227084.tif 000012
【図１１】
0003227084.tif 000013
【図１２】
0003227084.tif 000014
【図１３】
0003227084.tif 000015
【図１４】
0003227084.tif 000016
【図１５】
0003227084.tif 000017
【図１６】
0003227084.tif 000018
【図１７】
0003227084.tif 000019
【図１８】
0003227084.tif 000020
【図１９】
0003227084.tif 000021
【図２０】
0003227084.tif 000022
【図２１】
0003227084.tif 000023
【図２２】
0003227084.tif 000024
【図２３】
0003227084.tif 000025
【図２４】
0003227084.tif 000026
【図２５】
0003227084.tif 000027
【手続補正書】
【提出日】令和2年3月13日(2020.3.13)
【手続補正１】
【補正対象書類名】実用新案登録請求の範囲
【補正対象項目名】全文
【補正方法】変更
【補正の内容】
【実用新案登録請求の範囲】
【請求項１】
仮設される長フェンスの長手方向となる前後あるいはそれに直交する方向である左右のいずれかに拡大と縮小が可能に連結され拡大時における前記前後の幅が前記左右の幅と略同等の長さとされるように構成された一対の拡縮部材を備えるとともに拡縮部材の拡大幅を一定に規定する幅規定部材を有しかつ拡縮部材の下端には転動手段を備えてなるフェンスユニットと、これらフェンスユニットの長寸をもって離間する前後間を連結するつなぎガードとでなる仮設用長フェンス装置。
【請求項２】
請求項１に記載の仮設用長フェンス装置において、拡縮部材は、少なくとも門型を枠状部分として有する主枠を備え、その一対が長フェンスの長手方向に直交する左右あるいは前後に平行に対向する構造となっている仮設用長フェンス装置。
【請求項３】
請求項１に記載の仮設用長フェンス装置において、拡縮部材は、少なくとも門型を枠状部分として有する主枠を備え、その一対がＸ字状あるいは山型状に交差して結合する構造になっている仮設用長フェンス装置。
【請求項４】
請求項１から３のいずれかに記載の仮設用長フェンス装置において、つなぎガードは、前後のフェンスユニットの上端間に脱着可能に装架される手摺を含んでいる仮設用長フェンス装置。